(57)【要約】【課題】  本発明の目的は、従来とは全く異なる方法でもって異なるシステム等から入力された図面等を重ね合わせて出力することができるようにする。【構成】  作図画面出力装置１０は、図面作成装置２０から出力された作図画面を入力する一方、図面作成装置３０等から通信回線５０を通じて入力された基準画面を入力し、両画面の背景色及び／又は画像色を互いに同一にし、両画面を交互にディスプレイ１５等に出力している。即ち、ファイル形式等が全く異なる作図画面と基準図面とが視覚上合成図面と認識されるように両画面をディスプレイ１５に交互出力するようにしている。【選択図】      図１
2005208383.tif 000002
【特許請求の範囲】
【請求項１】
第１、第２の図面作成装置から出力された第１、第２の作図画面を作図画面出力装置に各々入力し、作図画面出力装置にて両画面の背景色及び／又は画像色を互いに同一にし、両画面を交互にディスプレイに出力させ、ディスプレイにて両画面を重ね合わせて表示するようにしたことを特徴とする作図画面出力方法。
【請求項２】
第１の図面作成装置から出力された第１の作図画面と、データベースをアクセスしてダウンロードした第３の作図画面とを作図画面出力装置に各々入力し、作図画面出力装置にて両画面の背景色及び／又は画像色を互いに同一にし、両画面を交互にディスプレイに出力させ、ディスプレイにて両画面を重ね合わせて表示するようにしたことを特徴とする作図画面出力方法。
【請求項３】
第１、第２の図面作成装置から出力された第１、第２の作図画面を作図画面出力装置に各々入力し、作図画面出力装置にて両画面の背景色及び／又は画像色を互いに同一にし、両画面をプリンタに順次出力させ、プリンタにて両画面を重ね合わせて印刷するようにしたことを特徴とする作図画面出力方法。
【請求項４】
第１の図面作成装置から出力された第１の第１の作図画面と、データベースをアクセスしてダウンロードした第３の作図画面とを作図画面出力装置に各々入力し、作図画面出力装置にて両画面の背景色及び／又は画像色を互いに同一にし、両画面をプリンタに順次出力させ、プリンタにて両画面を重ね合わせて印刷するようにしたことを特徴とする作図画面出力方法。
【請求項５】
第１の図面作成装置から入力された第１の作図画面に第２の図面作成装置から入力された第２の作図画面又はデータベースからダウンロードされた第３の作図画面をディスプレイ／プリンタにて重ね合わせて表示／印刷する作図画面出力装置であって、第１、第２の図面作成装置又はデータベースに接続された通信部と、第１、第２又は第３の作図画面の選定その他の各種設定入力を行うための入力部と、通信部を通じて第１の作図画面と第２の作図画面とを各々入力し又は第１の作図画面と第３の作図画面とを各々入力し、当該両画面の背景色及び／又は画像色を互いに同一にし、当該両画面を入力部を通じて設定された通りの位置関係及び縮尺でもってディスプレイに交互出力又はプリンタに順次出力させる制御部とを具備したことを特徴とする作図画面出力装置。
【発明の詳細な説明】
【技術分野】
【０００１】
本発明は異なるシステム等から入力された図面等を視覚上合成図面と認識させる方法及び装置であって、例えば、地図情報システムにて作成された図面にＣＡＤ等で作成された作図データ等を重ね合わせて出力する作図画面出力方法及び装置に関する。
【背景技術】
【０００２】
例えば、複数の地図情報データベースをアクセスして２種類の地図をダウンロードし、これらの地図に含まれる位置情報から特徴点を算出し、算出された特徴点の位置を基準として２種類の地図を重ね合わせてディスプレイやプリンタに出力するということが行われている（例えば、特許文献１等）。
【０００３】
【特許文献１】特開平１１−１２６５５２号公報
【発明の開示】
【発明が解決しようとする課題】
【０００４】
しかしながら、上記従来例による場合、２種類の地図を重ね合わせて出力するには画像合成器又は特別な画像用ソフトウエアが必要不可欠であり、地図画像のファイル形式等が全く異なるときには非常に面倒な処理を行わないと、両地図を重ねて出力することができない。これは地図だけの特有の問題ではなく、異なるシステム等により作成され且つファイル形式等が全く異なるベース図面とレイヤー図面とを重ね合わせて出力する場合にも共通して言える問題である。
【０００５】
本発明は上記事情に鑑みて創案されたものであって、その目的とするところは、従来とは全く異なる方法でもって異なるシステム等から入力された図面等を重ね合わせて出力する作図画面出力方法及び作図画面出力装置を提供することにある。
【課題を解決するための手段】
【０００６】
本発明の作図画面出力方法は、第１、第２の図面作成装置から出力された第１、第２の作図画面を作図画面出力装置に各々入力し、作図画面出力装置にて両画面の背景色及び／又は画像色を互いに同一にし、両画面をディスプレイに交互出力させ、ディスプレイにて両画面を重ね合わせて表示する。又は、第１の図面作成装置から出力された第１の作図画面と、データベースをアクセスしてダウンロードした第３の作図画面とを作図画面出力装置に各々入力し、作図画面出力装置にて両画面の背景色及び／又は画像色を互いに同一にし、両画面をディスプレイに交互出力させ、ディスプレイにて両画面を重ね合わせて表示するようにしても良い。
【０００７】
本発明の別の作図画面出力方法は、第１、第２の図面作成装置から出力された第１、第２の作図画面を作図画面出力装置に各々入力し、作図画面出力装置にて両画面の背景色及び／又は画像色を互いに同一にし、両画面を順番にプリンタに出力させ、プリンタにて両画面を重ね合わせて印刷する。又は、第１の図面作成装置から出力された第１の第１の作図画面と、データベースをアクセスしてダウンロードした第３の作図画面とを作図画面出力装置に各々入力し、作図画面出力装置にて両画面の背景色及び／又は画像色を互いに同一にし、両画面をプリンタに順次出力させ、プリンタにて両画面を重ね合わせて印刷するようにしても良い。
【０００８】
本発明の作図画面出力装置は、第１の図面作成装置から入力された第１の作図画面に第２の図面作成装置から入力された第２の作図画面又はデータベースからダウンロードされた第３の作図画面をディスプレイ／プリンタにて重ね合わせて表示／印刷する作図画面出力装置であって、第１、第２の図面作成装置又はデータベースに接続された通信部と、第１、第２又は第３の作図画面の選定その他の各種設定入力を行うための入力部と、通信部を通じて第１の作図画面と第２の作図画面とを各々入力し又は第１の作図画面と第３の作図画面とを各々入力し、当該両画面の背景色及び／又は画像色を互いに同一にし、当該両画面を入力部を通じて設定された通りの位置関係及び縮尺でもってディスプレイに交互出力又はプリンタに順次出力させる制御部とを具備している。
【発明の効果】
【０００９】
以上、本発明に係る作図画面出力方法及び作図画面出力装置による場合、入力された第１、第２の作成画面等を視覚上合成図面と認識させる構成となっているので、ファイル形式等が全く異なっていても図面等をディスプレイ等に出力することが可能になる。また、両画面の背景色及び／又は画像色を互いに同一にしたものをディスプレイ等に出力する構成となっているので、画面の切り替わりに伴って発生し得るチラツキを抑止することができ、出力画面の高品位化を図ることも可能である。さらに、第１、第２の図面作成装置を用いて第１、第２の作図画面を作成したり修正したりすると、その事項がディスプレイ等上の重ね合わせ画面に反映され、作図作業を効率的に行うことが可能になり非常に便利である。
【発明を実施するための最良の形態】
【００１０】
以下、本発明の実施の形態を図面を参照して説明する。図１は作図画面出力装置及び図面作成装置等の全体の構成図、図２は作図画面出力装置の制御部にて実行される図面設定モード時の処理の流れを示すプログラムフローチャート、図３は同制御部にて実行される出力モード時の処理の流れを示すプログラムフローチャートである。
【００１１】
ここに掲げる作図画面出力装置１０は、ＣＡＤ等の図面作成装置２０から入力された作図画面に別のＣＡＤ等の図面作成装置３０から転送された又はデータベース４０からダウンロードされた基準画面をディスプレイ１５やプリンタ１６にて重ね合わせて表示／印刷する装置であって、オペレータが図面作成装置２０を用いて作図する際の支援機として使用されるものである。ここでは作図画面出力装置１０として一般的なコンピュータを想定している。
【００１２】
図中１１はＣＰＵ等の制御部、１２はＲＯＭ、ＲＡＭ及びハードディスク等のメモリ部、１３はモデムや通信ボード等の通信部、１４はキーボードやマウス等の入力部である。このような一般的なコンピュータに図２及び図３に示すプログラム等がインストールされると、作図画面出力装置１０としての機能を発揮するようになっている。以下、各部を詳細に説明する。
【００１３】
通信部１３については、図面作成装置２０にＲＡＮ等の通信回線５１を通じて接続されている一方、図面作成装置３０及びデータベース４０にインターネット等の通信回線５２を通じて接続されている。即ち、図面作成装置２０から出力された作図画面を通信回線５１を介して入力する一方、図面作成装置３０又はデータベース４０から出力された基準画面を通信回線５２を介して入力している。
【００１４】
入力部１４については、作図画面及び基準画面の選定その他の各種設定入力がオペレータにより行われるようになっている。作図画面の設定入力事項としては、図面作成装置２０から入力すべき作図画面の選定、縮尺、背景色、画像色、基準画面との位置関係等があり、基準画面の設定入力事項としては、図面作成装置３０から転送又はデータベース４０からダウンロードすべき基準画面の選定、縮尺、背景色等がある。このような設定入力事項を入力部１４を通じて入力するモードを図面設定モードと称している一方、ディスプレイ１５等に出力等を行うモードを出力モードと称している。
【００１５】
なお、図面設定／出力のモード選択、図面作成装置／データベースの基準画面入力選択、ディスプレイ／プリンタの出力選択、後述する出力周波数の設定についても入力部１４を通じて行われるようになっている。
【００１６】
制御部１１については、図面設定モード時には図２に示すプログラムが実行され、出力モード時には図３に示すプログラムが実行される。その結果、図面作成装置２０から作図画面を入力する一方、図面作成装置３０から転送された基準画面又はデータベース４０にアクセスしてダウンロードされた基準画面を入力し、両画面の背景色及び画像色を互いに同一にし、両画面を入力部１４を通じて設定された通りの位置関係及び縮尺でもってディスプレイ１５に交互出力又はプリンタ１６に順次出力するようになっている。
【００１７】
以上のように構成された作図画面出力装置１０の動作について説明し、併せて図２及び図３に示すプログラムの内容について説明する。
【００１８】
オペレータにより入力部１４を通じて図面設定モードが選択入力されると、制御部１１において図２に示すプログラムが処理される。
【００１９】
まず、通信部１３を動作させ、図面作成装置３０やデータベース４０をアクセスして、これらが保有する各種基準画面のリスト等を通信回線５２を通じて入力し、ディスプレイ１５に表示出力させる。この状態でオペレータによりリスト等に含まれる基準画面の中から所望の基準画面が入力部１４を通じて選択入力されると、当該基準画面を保有する図面作成装置３０等を再アクセスし、当該基準画面を通信回線５１を通じて入力し、ディスプレイ１５上に表示出力させる（Ｓ１）。
【００２０】
そして、オペレータにより基準画面の縮尺、背景色、画像色等が入力部１４を通じて設定入力されると、これに伴ってディスプレイ１５上に基準画面を設定通りの縮尺等でもって表示出力させる。また、基準画面の縮尺等の設定が完了すると、その設定事項をメモリ部１２の所定領域に記憶させるとともに、基準図面を設定された通りの内容に変更し、これをメモリ部１２の所定領域に保持させる（Ｓ２）。
【００２１】
上記と同様に通信部１３を再び動作させ、図面作成装置２０から出力された作図画面のリスト等を通信回線５２を通じて入力し、ディスプレイ１５に表示出力させる。この状態でオペレータによりリスト等に含まれる作図画面の中から所望の作図画面が入力部１４を通じて選択入力されると、当該作図画面を通信回線５２を通じて入力する。
【００２２】
図面作成装置２０から作図画面を入力する一方、メモリ部１２上の基準画面を読み出し、作図画面と基準画面とをディスプレイ１５に交互出力させ、ディスプレイ１５上にて両画面を重ね合わせて表示出力させる（Ｓ３）。
【００２３】
この状態でオペレータにより作図画面の縮尺、背景色、画像色及び基準図面との位置関係等が入力部１４を通じて設定入力されると、これに伴って基準画面に重ね合わされる作図画面を設定通りの縮尺等でもってディスプレイ１５上に表示出力させる。また、作図画面の縮尺等の設定が完了すると、その設定事項をメモリ部１２の所定領域に記憶させるとともに、作図画面の画像データを設定された通りの内容に変更し、これをメモリ部１２の所定領域に保持させる（Ｓ４）。これで図２に示すプログラムの処理が終了となる。
【００２４】
次いでオペレータにより入力部１４を通じて出力モードが選択入力されると、制御部１１において図３に示すプログラムが処理される。
【００２５】
まず、通信部１３を動作させて図面作成装置３０又はデータベース４０から基準画面を回線５１を通じて入力し（Ｓ１）、その画像データをメモリ部１２に記憶された設定事項が示す通りの縮尺、背景色及び画像色等に変換・調整し（Ｓ２、Ｓ３）、変換等が行われた基準画面をディスプレイ１５に出力させる（Ｓ４）。その後、通信部１３を動作させて図面作成装置２０から作成画面を通信回線５２を通じて入力し（Ｓ５）、その画像データを背景色及び画像色が基準画面と同一になるよう変換した後（Ｓ６）、メモリ部１２に記憶された設定事項が示す通りの縮尺及び位置関係等に調整し（Ｓ７）、変換等が行われた作成画面をディスプレイ１５に出力させる（Ｓ８）。
【００２６】
このような処理が繰り返し行われると、オペレータの目にはその残像現象によりディスプレイ１５上に表示出力された両図面が重ね合わされて見えることになる。この繰り返し処理の単位時間当たりの回数については入力部１４を通じて任意に設定され、この設定を通じてディスプレイ１５に作成画面と基準画面とを交互に出力する周波数が変更されるようになっている。
【００２７】
上記繰り返し処理はオペレータにより入力部１４を通じて作図完了した旨が入力されるまで行われる（Ｓ９）。このようなオペレータの入力により繰り返し処理を抜けると、これで図３に示すプログラムの処理が終了となる。
【００２８】
上記説明はディスプレイ１５に両画面を表示出力する場合であったが、プリンタ１６に印刷する場合についても全く同様である。即ち、オペレータにより入力部１４を通じてプリントアウトが設定入力されると、基準画面と作成画面とがプリンタ１６に順次出力され、両画面が重ね合わせて印刷される。
【００２９】
上記したような作図画面出力装置１０及び同装置に採用されている作図画面出力方法による場合、入力された作図画面と基準画面とをディスプレイ１５に交互出力又はプリンタ１６に順次出力する構成となっているので、ファイル形式等が全く異なる異種の両画面であってもディスプレイ１５等にて両画面を重ね合わせて出力することができる。また、両画面の背景色及び／又は画像色を互いに同一にしたものを出力する構成となっているので、両画面の切り替わりに伴って発生し得るチラツキを抑止することができ、出力画面の高品位化を図ることも可能である。さらに、図面作成装置２０を用いて作図が行われると出力画面のベースとなる作成画面も随時更新される。これは図面作成装置３０等の基準画面が更新されたときも同様である。よって、図面作成装置２０を用いた作図作業を効率的に行うことが可能になり非常に便利である。
【００３０】
なお、本発明に係る作図画面出力方法及び作図画面出力装置は、上記実施形態に限定されず、図面作成装置から出力された作図画面を入力する一方、他の図面作成装置又はデータベースから入力された基準画面を入力し、当該両画面の背景色及び／又は画像色を互いに同一にし、当該両画面を入力部を通じて設定された通りの位置関係及び縮尺でもってディスプレイに交互出力又はプリンタに順次出力する構成であるある限り、どのような形態であってもかまわない。特に両画面の位置合わせについては、両画面の画像データに基準点が含まれているときは、その基準点を用いて両画面を位置合わせするようにすれば良い。
【図面の簡単な説明】
【００３１】
【図１】本発明の実施の形態を説明するための図であって、作図画面出力装置及び図面作成装置等の全体の構成図である。
【図２】同作図画面出力装置の制御部にて実行される図面設定モード時の処理の流れを示すプログラムフローチャートである。
【図３】同制御部にて実行される出力モード時の処理の流れを示すプログラムフローチャートである。
【符号の説明】
【００３２】
１０  作図画面出力装置
１１  制御部
１２  メモリ部
１３  通信部
１４  入力部
１５  ディスプレイ
１６  プリンタ
２０  ３０  図面作成装置
４０  データベース
５１  ５２  通信回線
【図１】
2005208383.tif 000003
【図２】
2005208383.tif 000004
【図３】
2005208383.tif 000005